(57)【要約】【課題】長期にわたって煙除去フィルタの煙除去性能を維持させることができるように、煙除去フィルタの設置を考慮した室内循環式レンジフードを提供する。【解決手段】汚染空気Ｇを吸引捕獲するフード部１から室内への吹出し口４に至る循環風路３におけるグリスフィルタ１１の下流側に、煙除去フィルタ１８、脱臭フィルタ１９、除湿フィルタ２０を備えている。そして、煙除去フィルタ１８は汚染空気Ｇの流れ方向に対して交差する循環風路３の断面における略半分側に配され、かつ、上流側がフィルタ開閉機構２１によって開閉可能と成して、焼き物の煙が含まれている汚染空気Ｇが通過するときに開口される構成としている。【選択図】図１
2011112251.tif 000002
【特許請求の範囲】
【請求項１】
調理時に発生する汚染空気を吸引捕獲し、当該汚染空気を清浄化したのちに、室内に戻す室内循環式レンジフードであって、
前記汚染空気を吸引捕獲する吸込み口から前記室内への吹出し口に至る循環風路におけるグリスフィルタの下流側に、煙除去フィルタ、脱臭フィルタをそれぞれ備え、
前記煙除去フィルタは、前記循環風路の前記汚染空気の流れ方向に対して交差する断面の１部または略半分側に位置して配され、かつ、その上流側に配されるフィルタ開閉機構によって開閉可能と成して、煙が含まれている汚染空気が通過するときに開口されるように構成されていることを特徴とする室内循環式レンジフード。
【請求項２】
前記フィルタ開閉機構による前記煙除去フィルタの開閉動作が、少なくとも煙センサによる自動検知によって、または、加熱調理器の調理メニューの操作に連動して行われることを特徴とする請求項１に記載の室内循環式レンジフード。
【請求項３】
調理時に発生する汚染空気を吸引捕獲し、当該汚染空気を清浄化したのちに、室内に戻す室内循環式レンジフードであって、
前記汚染空気が吸込み捕獲される吸込み口から前記室内への吹出し口に至る循環風路におけるグリスフィルタの下流側に、煙除去フィルタ、脱臭フィルタをそれぞれ備え、
前記煙除去フィルタは、フィルタ出し入れ機構によって前記循環風路を、前記汚染空気の流れ方向に対して交差する方向に仕切るように抜き挿し可能に配されて、煙が含まれている汚染空気が通過するときに前記循環風路に挿入内在されるように構成されていることを特徴とする室内循環式レンジフード。
【請求項４】
前記抜き挿し機構による前記煙除去フィルタの前記循環風路への抜き挿し動作が、少なくとも煙センサによる自動検知によって、または、加熱調理器の調理メニューの操作に連動して行われることを特徴とする請求項３に記載の室内循環式レンジフード。
【請求項５】
前記循環風路に、除湿フィルタを備えていることを特徴とする請求項１または請求項３に記載の室内循環式レンジフード。
【発明の詳細な説明】
【技術分野】
【０００１】
本発明は、燃焼ガスを発生しない電気コンロ、或いは電磁誘導加熱調理器などからの汚染空気を吸引捕獲し、清浄化したのちに室内に戻す室内循環式のレンジフードに関する。
【背景技術】
【０００２】
近年では、加熱調理中に二酸化炭素や一酸化炭素などの有害物質を含む燃焼ガスが発生するガスコンロに代わり、燃焼ガスを発生させずに調理することができる電気コンロ、或いは電磁誘導加熱調理器（ＩＨクッキングヒータ）などが普及し、オール電化キッチンを採用する家庭が多くなってきている。
燃焼ガスを発生しない電磁誘導加熱調理器を使用しての調理では、発生する汚染空気中に二酸化炭素や一酸化炭素などの有害物質が含まれていないために、汚染空気を清浄化することができるのであれば、室内に循環（還流）させることができる。そして、汚染空気を清浄化させて室内に戻す室内循環方式を採用することで、例えば、室内空気圧の変化、室内環境の汚染、そして空調エネルギーのロスなどを引き起こすなどの問題を解消することができる。
【０００３】
そこで、調理中に調理鍋や電磁誘導加熱調理器などからの汚染空気を吸引捕獲するとともに、汚染空気中に含まれている汚染物質、例えば、油脂分（油煙）、臭気（調理臭）、水分（蒸気、湿気）などを汚染空気から分離除去して清浄化したクリーンな空気として室内に戻す空気浄化機能を備えた室内循環式レンジフードが提案されている（例えば、特許文献１などを参照）。
【先行技術文献】
【特許文献】
【０００４】
【特許文献１】特開２００２−３４０３７７号公報（段落番号００２０、００２１および図２参照）
【発明の概要】
【発明が解決しようとする課題】
【０００５】
ところで、汚染空気に含まれている油脂分、臭気成分、水分は、グリスフィルタ、脱臭フィルタ、除湿フィルタによって汚染空気から個々の分離作用によって効率的に分離されて除去されるものの、焼き魚、焼き鳥、焼肉などの焼き物の調理中に発生する煙を汚染空気から分離除去するためには、煙の粒子径よりも細かい高密度の煙除去フィルタを使用することが必須となる。
【０００６】
しかしながら、高密度の煙除去フィルタ、例えば、ＨＥＰＡフィルタ(High Efficiency Particulate Air Filter)やＵＬＰＡフィルタ(Ultra Low Penetration Air Filter)は、濾材密度が高い故に、初期圧力損失が大きく、短期間で目詰まりを起し易いエアフィルタである。
そのために、煙の他に、油脂分、臭気成分、水分などの汚染物質が含まれている汚染空気が発生する環境下において、グリスフィルタ、脱臭フィルタ、除湿フィルタのように、継続的に煙除去フィルタを使用すれば、目詰まりがさらに早まり、煙除去性能（煙捕集効率）の維持が短くなるなどから、清掃を頻繁に繰り返さなければならない。つまり、面倒な煙除去フィルタの清掃を日常的に行わなければならないと言った取扱い上の問題がある。
【０００７】
そこで、本発明は、前記課題を解消するために創案されたものであり、長期にわたって煙除去性能を維持できる煙除去フィルタの設置構造を備えた室内循環式レンジフードを提供することにある。
【課題を解決するための手段】
【０００８】
本発明者は、長年にわたり鋭意研究し各種の実験を重ねた結果、前記課題を解決することができることを見出し、本発明に至ったものである。
すなわち、本発明は、調理時に発生する汚染空気を吸引捕獲し、当該汚染空気を清浄化したのちに、室内に戻す室内循環式レンジフードであって、
前記汚染空気を吸引捕獲する吸込み口から前記室内への吹出し口に至る循環風路におけるグリスフィルタの下流側に、煙除去フィルタ、脱臭フィルタをそれぞれ備え、前記煙除去フィルタは、前記循環風路の前記汚染空気の流れ方向に対して交差する断面の一部または略半分側に位置して配され、かつ、その上流側に配されるフィルタ開閉機構によって開閉可能と成して、煙が含まれている汚染空気が通過するときに開口されるように構成されていることを特徴とする。
ここで、前記吸込み口としては、フード部に設けられる捕獲空間やこの捕獲空間の下向き開口縁部と整流板の外周各辺縁部との間に確保される吸込み隙間、または、加熱調理器の周りにおけるキッチンカウンタなどに設けられる吸込み口などを挙げることができる。そして、前記フィルタ開閉機構による前記煙除去フィルタの開閉動作が、少なくとも煙センサによる自動検知によって、または、加熱調理器の調理メニューの操作に連動して行われる構成を採用することが好適なものとなる。
また、前記循環風路に、除湿フィルタを備えることが好適なものとなる。
【０００９】
このような構成によれば、調理中に発生する煙、例えば、焼き魚、焼き鳥、焼肉などの焼き物の調理中に発生する煙が含まれていない汚染空気が吸込み口から吸い込み捕獲されて清浄化されたのちに吹出し口から室内に戻される場合は、煙除去フィルタはフィルタ開閉機構によって閉鎖される。そして、焼き物の煙が含まれている汚染空気が吸込み口から吸い込み捕獲されて清浄化されたのちに吹出し口から室内に戻される場合には、煙除去フィルタは開口される。
これにより、焼き物の煙が含まれている汚染空気のみが煙除去フィルタを通過することとなる。
【００１０】
また、本発明では、調理時に発生する汚染空気を吸引捕獲し、当該汚染空気を清浄化したのちに、室内に戻す室内循環式レンジフードであって、
前記汚染空気が吸込み捕獲される吸込み口から前記室内への吹出し口に至る循環風路におけるグリスフィルタの下流側に、煙除去フィルタ、脱臭フィルタをそれぞれ備え、前記煙除去フィルタは、フィルタ出し入れ機構によって前記循環風路を、前記汚染空気の流れ方向に対して交差する方向に仕切るように抜き挿し可能に配されて、煙が含まれている汚染空気が通過するときに前記循環風路に挿入内在されるように構成されていることを特徴とする。
ここで、前記吸込み口としては、フード部に設けられる捕獲空間やこの捕獲空間の下向き開口縁部と整流板の外周各辺縁部との間に確保される吸込み隙間、または、加熱調理器の周りにおけるキッチンカウンタなどに設けられる吸込み口などを挙げることができる。そして、前記フィルタ出し入れ機構による前記煙除去フィルタの前記循環風路への抜き挿し動作が、少なくとも煙センサによる自動検知によって、または、加熱調理器の調理メニューの操作に連動して行われる構成を採用することが好適なものとなる。
また、前記循環風路に、除湿フィルタを備えることが好適なものとなる。
【００１１】
このような構成によれば、調理中に発生する煙、例えば、焼き魚、焼き鳥、焼肉などの焼き物の調理中に発生する煙が含まれていない汚染空気が吸込み口から吸引捕獲されて清浄化されたのちに吹出し口から室内に戻される場合は、煙除去フィルはフィルタ出し入れ機構によって循環風路の外に引き出されている。そして、焼き物の煙が含まれている汚染空気が吸込み口から吸引捕獲されて清浄化されたのちに吹出し口から室内に戻される場合には、煙除去フィルタは循環風路に挿入内在されている。
これにより、焼き物の煙が含まれている汚染空気のみが煙除去フィルタを通過することとなる。
【発明の効果】
【００１２】
本発明によれば、焼き物の調理中に発生する煙が含まれている汚染空気は、グリスフィルタを通過、そしてその下流側の煙除去フィルタ、脱臭フィルタ、除湿フィルタを通過して清浄化されたのちに、循環風路の吹出し口から室内に戻される循環が行われる。換言すれば、焼き物の煙が発生しない調理中における汚染空気は、グリスフィルタを通過したのちに、煙除去フィルタを通過することなく、脱臭フィルタ、除湿フィルタを通過して清浄化されたのちに、循環風路の吹出し口から室内に戻される循環が行われる。
これにより、煙除去フィルタが短期間で目詰まりすることを抑えて、煙除去フィルタの煙除去性能（煙捕集効率）を長期にわたって維持させることができる。つまり、煙除去フィルタを頻繁に清掃するなどの日常的な清掃を解消して保守管理の向上が図られる煙除去フィルタの設置構造を備えた室内循環式レンジフードを提供することができる。
【００１３】
また、本発明によれば、前記の作用に加えて、焼き物の煙が含まれている汚染空気のみを煙除去フィルタを通過させるための該煙除去フィルタの開閉動作や循環風路への抜き挿し動作が、煙センサによる自動検知によって、または、加熱調理器の調理メニューの操作など、例えば、調理メニューのうち、魚を焼くなどのグリルスイッチのＯＮ／ＯＦＦ操作に連動させて行われる構成を採用することで、焼き物を調理する調理開始や終了時において煙除去フィルタの開閉や循環風路への抜き挿しを行う別途の手動操作による切り替えが不要となる。
これにより、使い勝手に優れた煙除去フィルタの設置構造を備える室内循環式レンジフードを提供することができる。
【図面の簡単な説明】
【００１４】
【図１】第１実施形態に係る室内循環式レンジフードを示す縦断側面図である。
【図２】同レンジフードの要部を拡大して示す横断平面図である。
【図３】同レンジフードに適用される煙除去フィルタ及びフィルタ開閉機構の一例を示す斜視図である。
【図４】第２の実施形態に係る室内循環式レンジフードの要部を拡大して示す横断平面図である。
【図５】同レンジフードに適用される煙除去フィルタ及びフィルタ出し入れ機構の一例を示す斜視図である。
【発明を実施するための形態】
【００１５】
以下、本発明の実施形態について、適宜図面を参照しながら詳細に説明する。
【００１６】
図１は、第１実施形態に係る室内循環式レンジフードを示す縦断側面図であり、図２は、一部を拡大して示す横断平面図である。
なお、本実施形態では、図示省略の電気コンロ、或いは電磁誘導加熱調理器（ＩＨクッキングヒータ）などの加熱調理器の略真上に位置して設置される壁取り付け、または、天井取り付けタイプのうち、壁取り付けタイプの室内循環式レンジフード（以後、単に「レンジフード」と称する）Ａを一例に挙げて説明するが、これに限定されるものではない。
このレンジフードＡは、調理中に加熱調理器や調理鍋などから舞い上がってくる汚染空気Ｇを吸引捕獲し、汚染空気Ｇ中に含まれている汚染物質、例えば、油脂分（油煙）、臭気成分、水分（水蒸気、湯煙）、そして焼き物の煙などを汚染空気Ｇから分離除去したのちに、清浄化したクリーンな空気として室内に戻すように構成されている。
【００１７】
≪レンジフードの構成≫
レンジフードＡは、図１に示すように、平型（薄型）のフード部１と、このフード部１の上に取り付けられる送風機ユニット２と、この送付機ユニット２の後記するファンケーシング２ｂに一端側が接続され、他端側がキッチン天井Ｋ１の付近においてキッチンＫ側に向けて位置させるように取り付けられる循環風路３とを備えて構成されている。
また、レンジフードＡは、送風機ユニット２および循環風路３を目隠すように、フード部１の天板１ａからキッチン天井Ｋ１に至る高さに形成され、かつ、循環風路３の他端側が接続される吹出し口４を有する幕板５を取り外し可能に備えている。
【００１８】
≪フード部の構成≫
フード部１は、図１に示すように、下向きに開口する扁平箱型に形成されている。そして、フード部１は、１ａに連絡口６を備えている。この連絡口６は、送風機ユニット２の後記する排気ボックス２ａ内とフード部１とを連通させるためのものであり、天板１ａの後半部側に位置する略中央部位において設けられる。
【００１９】
また、フード部１は、連絡口６の下側に、この連結口６側と、下向き開口側と区画するように開口内側にオイルパネル７を備えている。これにより、開口内側に所望の深さを有し、汚染空気Ｇを吸引捕獲する捕獲空間Ｍが設けられる。つまり、循環風路３の吸込み口となる捕獲空間Ｍがオイルパネル７によってフード部１の開口内側に設けられる。
また、フード部１は、捕獲空間Ｍの下向き開口縁部８との間に、捕獲空間Ｍへの吸込み隙間９を確保するように整流板１０を備えている。これにより、加熱調理器具や調理鍋などから舞い上がってくる（立ち昇ってくる）汚染空気Ｇが整流板１０に沿って吸込み隙間９から捕獲空間Ｍに勢い良く吸気されるようにしている。
【００２０】
また、フード部１は、連絡口６の下流側に位置する捕獲空間Ｍの膨出底部にグリスフィルタ１１を取り外し可能に備えている。これにより、吸込み隙間９から捕獲空間Ｍに吸引捕獲された汚染空気Ｇがグリスフィルタ１１を通過するときに、汚染空気Ｇ中に含まれている油脂分などが分離されて捕獲されるようにしている。
【００２１】
また、フード部１は、図１に示すように、調理者側（紙面左側）に位置する前面部１ｂに操作スイッチ部１２を備えている。
この操作スイッチ部１２は、送風機ユニット２の後記する排気装置２ｂの作動ＯＮ／ＯＦＦ、そして、捕獲空間Ｍの下向き開口縁部８の後側（キッチン壁面Ｋ２側）に備えられている照明（ＬＥＤ、蛍光灯、白熱球など）１３の点灯ＯＮ／ＯＦＦ操作を行うためのタッチまたはプッシュタイプのスイッチ類を備えて構成されている。
また、この操作スイッチ部１２は、後記する煙除去フィルタ１８のフィルタ開閉機構２１による開閉動作、そしてフィルタ出し入れ機構２９による抜き挿し動作を、手動操作により行う場合のスイッチ類（図示省略）が備えられるようになっている。
【００２２】
≪送風機ユニットの構成≫
送風機ユニット２は、図１に示すように、排気ボックス２ａと、この排気ボックス２ａ内におけるフード部１の連絡口６に連通する前半部側を除く後半部側に位置して縦置きに内設される排気装置２ｂとを備えて構成されている。
【００２３】
≪排気ボックスの構成≫
排気ボックス２ａは、循環風路３の上流側延長風路となるものであり、図１に示すように、フード部１の連絡口６に、前半部を連通させるように、天板１ａの上にネジ止めなどによって取り付けられる縦断面視で略四角形状に形成されている。
【００２４】
≪排気装置の構成≫
排気装置２ｂは、図１に示すように、循環風路が接続される接続筒を円周の上面部位に備えているファンケーシング１４に、ファンモータ１６に軸支させて排気ファン（遠心ファン、多翼ファン）１５を同軸上に収容させた構成としている。
【００２５】
≪循環風路の構成≫
循環風路３は、排気装置２ｂの吸引力によってフード部１の捕獲空間Ｍに吸引捕獲され、この捕獲空間Ｍからグリスフィルタ１１を通過し、排気ボックス２ａ、ファンケーシング１４を経由して流入されてきた汚染空気Ｇに含まれている焼き物の煙、臭気（調理臭）、水分（蒸気、湿気）などの汚染物質を汚染空気Ｇから分離除去して清浄化したクリーンな空気として吹出し口４から室内（キッチン）に戻すための風路である。
この循環風路３は、図１に示すように、一端側（上流側）が排気装置２ｂのファンケーシング１４に接続筒１７を介して接続され、他端側（下流側）が幕板５に設けられている吹出し口４に接続される断面形状にて所定の長さに形成されている。そして、この循環風路３におけるグリスフィルタ１１の下流側、具体的には排気ファン１５が収容されているファンケーシング１４よりも下流側に、煙除去フィルタ１８、脱臭フィルタ１９、除湿フィルタ２０をそれぞれ順次に配置している。
【００２６】
≪煙除去フィルタ、脱臭フィルタ、除湿フィルタの構成≫
煙除去フィルタ１８は、例えば、ＨＥＰＡフィルタ(High Efficiency Particulate Air Filter)やＵＬＰＡフィルタ(Ultra Low Penetration Air Filter)などからなる濾材密度が高密度のエアフィルタである。
脱臭フィルタ１９は、例えば、臭気成分を吸着作用によって汚染空気Ｇから分離除去する活性炭などの多孔質材料からなる吸着フィルタである。
除湿フィルタ２０は、例えば、シリカゲルによる吸湿、または、ペルチェモジュールによる吸熱で汚染空気Ｇから水分を分離除去するものである。
【００２７】
なお、図示を省略しているが、これらの各フィルタ１８，１９，２０は、循環風路３の路内面に設けたレールなどで支持されており、循環風路３に抜き挿し可能に内在させている。つまり、定期的に清掃などを行う場合には、幕板５を取り外し、各フィルタ１８，１９，２０が配置されている循環風路３における風路壁に設けられている開閉扉を開けて循環風路３内から取り出すことができるようにしてある。
【００２８】
そして、本実施形態では、図１および図２に示すように、煙除去フィルタ１８の上流側にフィルタ開閉機構２１を配置している。
具体的に説明すると、煙除去フィルタ１８は、図２に二点鎖線で示すように、汚染空気Ｇの流れ方向に対して交差する循環風路３の略正四角形状を呈する断面の略半分側に位置して配される大きさに形成されており、その上流側がフィルタ開閉機構２１によって開閉されるようになっている。
これにより、濾材密度が高い故に、初期圧力損失が大きく、短期間で目詰まりを起し易い煙除去フィルタの目詰まりを抑えて煙除去性能（煙捕集効率）を長期にわたって維持するようにしている。
【００２９】
≪フィルタ開閉機構の構成≫
図３は、フィルタ開閉機構の一例を示す斜視図である。ここでは、図１および図２を適宜参照しながら説明する。
フィルタ開閉機構２１は、焼き物の煙が含まれている汚染空気Ｇがフード部１の捕獲空間Ｍに吸引捕獲されるとき、煙除去フィルタ１８の上流側を開口し、当該煙が含まれていない汚染空気Ｇが捕獲空間Ｍに吸引捕獲されるときには、煙除去フィルタ１８の上流側を閉鎖するものである。
このフィルタ開閉機構２１は、図２および図３に示すように、シャッター２１ａと、シャッター２１ａを循環風路３内にスライド可能に支持する支持枠２１ｂと、シャッター２１ａをスライド動作させるアクチュエータ２１ｃとを備えて構成されている。
【００３０】
シャッター２１ａは、煙除去フィルタ１８の平面視形状（大きさ）と略同じ程度に形成されている。そして、スライド方向に平行な両短辺縁部には外向きに突出させた連結部２２を備え、アクチュエータ２１ｃのシリンダ（ロッド）２３に連結ピン２４などによって連結されるようにしている。
【００３１】
支持枠２１ｂは、図２および図３に示すように、断面視で略コの字状を呈する型材を用いて、循環風路３の断面形状と略同形の平面視で略四角形状に枠組み形成されている。具体的には、煙除去フィルタ１８が配される循環風路３の汚染空気Ｇの流れ方向に対して直交する断面形状を成して、その風路内側にネジ止めやその他の止着手段によって取り付け内設されるように形成されている。
また、支持枠２１ｂの対向する両辺枠部における略半分側には、シャッター２１ａの連結部２２を外向きに突出させる長孔２５が開孔されている。
これにより、支持枠２１ｂは、図１に示すように、シャッター２１ａをスライド可能（煙除去フィルタ１８を開閉する方向）に支持した状態で、循環風路３における煙除去フィルタ１８の上流側に取り付け内設される。
【００３２】
アクチュエータ２１ｃは、図２に示すように、循環風路３の対向する風路壁の外側に配設されて、支持枠２１ｂの長孔２５と当該風路壁に開孔されている長孔２６から外向きに突出するシャッター２１ａの両側の連結部２２にシリンダ２３の先端が連結ピン２４によって連結される。すなわち、シャッター２１ａは、両側のアクチュエータ２１ｃによって煙除去フィルタ１８を開閉する方向にスライドされる構造となっている。
このアクチュエータ２１ｃは、フード部１の操作スイッチ部１２に備えられる図示省略のシャッター開閉スイッチによる手動操作、または、加熱調理器の調理メニューの操作など、例えば、調理メニューのうち、魚を焼くなどのグリルスイッチのＯＮ／ＯＦＦ操作に連動、或いは、煙センサによる煙の自動検知などによって駆動される。
【００３３】
例えば、図１に示すように、フード部１の後側（キッチン壁Ｋ２側）の下向き開口縁部８などに配設される煙センサＳ１を一例に挙げて具体的に説明すると、光電式、光学式、イオン化式などからなる煙センサのうち、光学式煙センサは、光の光路に侵入した煙粒子から散乱光強度を受光することにより、加熱調理器のグリルなどからの焼き魚、焼き鳥、焼肉などの焼き物の煙の存在を検出するように構成されている。
これにより、煙センサＳ１が、加熱調理器のグリルなどから舞い上がってくる汚染空気Ｇ中の煙を検知し、その検知信号が出力されてくると、アクチュエータ２１ｃは、シャッター２１ａを開く方向にシリンダ２３を駆動させる。そして、煙センサＳ１からの検出信号の出力が途切れると、シャッター２１ａを閉じる方向にシリンダ２３を駆動させる。
【００３４】
そして、本実施形態では、このように構成されているフィルタ開閉機構２１を煙除去フィルタ１８の下流側に取り付けたのちに、シャッター２１ａのスライド開閉方向におけるアクチュエータ２１ｃの延長線上の風路壁外側に密閉カバー２７を取り付けて、循環風路３内に通じる長孔２５，２６からの汚染空気Ｇの漏れを防ぐ構造としている。
【００３５】
また、本実施形態では、図１に示すように、排気装置２ｂの排気ファン１５の下流側に位置する循環風路３に、防火対策手段としての回転式の風路遮断ダンパー２８を備えている。この風路閉鎖ダンパー２８は、フード部１の前側内部に配設されている温度センサＳ２などから検知信号が出力されてくることで駆動するモータ（図示省略）によって循環風路３を閉鎖する。
つまり、フード部１の近辺に、通常の調理中に発生する熱よりも高熱の汚染空気Ｇが加熱調理器などから舞い上がり、その高熱を温度センサＳ２が検知すると、その検知信号がモータの制御部（図示省略）などに出力されて、図１に二点鎖線で示すように、風路遮断ダンパー２８が循環風路３を閉鎖するようになっている。
【００３６】
［作用説明］
つぎに、以上のように構成されている煙除去フィルタ１８のフィルタ開閉機構２１が適用されたレンジフードＡについて簡単に説明する。ここでは、図１を適宜参照しながら説明する。
焼き物の煙が発生しない料理中に、加熱調理器などから舞い上がってくる汚染空気Ｇがフード部１の吸込み隙間９から捕獲空間Ｍに吸引捕獲されるときには、フィルタ開閉機構２１を構成するシャッター２１ａによって煙除去フィルタ１８の上流側は閉鎖される。
これにより、捕獲空間Ｍからグリスフィルタ１１を通過して油脂分が分離除去された汚染空気Ｇは、煙除去フィルタ１８を通過することなく、下流側の脱臭フィルタ１９、さらに下流側の除湿フィルタ２０を通過して臭気や水分などが分離除去されたクリーンな空気として吹出し口４から室内（キッチン）に戻される。
【００３７】
そして、グリルなどによる焼き物の料理中に発生する煙を含んで舞い上がってくる汚染空気Ｇがフード部１の吸込み隙間９から捕獲空間Ｍに吸引捕獲されるときには、煙センサＳ１が煙の存在を煙粒子や煙濃度などから検知し、その検知信号が煙センサＳ１から出力される。すると、図１に示すように、フィルタ開閉機構２１を構成するアクチュエータ２１ｃのシリンダ２３が駆動し、シャッター２１ａを開く方向にスライドさせて煙除去フィルタ１８の上流側を開口する。
これにより、捕獲空間Ｍからグリスフィルタ１１を通過して油脂分が分離除去された汚染空気Ｇは、煙除去フィルタ１８を通過して煙が分離除去されたのちに、下流側の脱臭フィルタ１９、さらに下流側の除湿フィルタ２０を通過して臭気や水分などが分離除去されたクリーンな空気として吹出し口４から室内（キッチン）に戻される。
そして、焼き物の料理が終わり、煙センサＳ１からの検出信号の出力が途切れると、シリンダ２３が駆動し、シャッター２１ａを閉じ方向にスライドさせて煙除去フィルタ１８の上流側を閉鎖する。
【００３８】
図４は、第２の実施形態に係る室内循環式レンジフードの要部を拡大して示す横断平面図である。
この実施形態では、焼き魚、焼き鳥、焼肉などの焼き物の煙が含まれていない汚染空気Ｇが吸込み口となるフード部１の捕獲空間Ｍに吸引捕獲されて清浄化されたのちに吹出し口４から室内に戻される場合、煙除去フィル１８−１はフィルタ出し入れ機構２９によって循環風路３の外に引き出されている構成を採用している。これ以外の構成要素においては前記の実施形態と基本的に同じことから、同じ構成要素に同じ符合を付することで重複説明は省略する。
【００３９】
すなわち、この実施形態では、図４に示すように、煙除去フィルタ１８−１が配される循環風路３の断面形状と略同形で同じ大きさに形成されている煙除去フィルタ１８−１を、フィルタ出し入れ機構２９によって循環風路３の上流側と下流側とを仕切るように出し入れ可能と成して、煙除去フィルタ１８−１の目詰まりを抑える構成としている。
【００４０】
≪フィルタ出し入れ機構の構成≫
図５は、フィルタ出し入れ機構の一例を示す斜視図である。ここでは、図４を適宜参照しながら説明する。
フィルタ出し入れ機構２９は、焼き物の煙が含まれている汚染空気Ｇがフード部１の捕獲空間Ｍに吸引捕獲されるとき、煙除去フィルタ１８−１を循環風路３内に上流側と下流側を仕切るように内在させ、当該煙が含まれていない汚染空気Ｇが捕獲空間Ｍに吸引捕獲されるときには煙除去フィルタ１８−１を循環風路３の外に引き出すものである。
このフィルタ出し入れ機構２１は、図４および図５に示すように、煙除去フィルタ１８−１を循環風路３内に対して出し入れスライド可能に支持する支持枠２９ａと、煙除去フィルタ１８−１をスライド動作させるアクチュエータ２９ｂとを備えて構成されている。
【００４１】
支持枠２９ａは、図４および図５に示すように、断面視で略コの字状を呈する型材を用いて平面視で横長矩形形状に形成されている。詳しくは、平面視で略正四角形状を呈する循環風路３の断面において、一辺を除く三辺の風路壁のうち、対向する二辺の両風路壁に沿って内設され、なおかつ、当該風路壁の壁幅（風路幅）に相当する長さにて循環風路３の外に向けて平行に延設される２本の長尺型材と、残る一辺の風路壁に沿わせて内設される短尺型材とから横長矩形形状に形成されている。
【００４２】
また、支持枠２９ａの開放する両長尺型材の開放端側における上部と下部は、連結枠材３０によってそれぞれ連結されている。両長尺型材の外部延長部分の平行度が保たれるようにしている。そして、この外部延長部分には、煙除去フィルタ１８−１の両側に外向き突出状に備えられている連結部３１を突出させる長孔３２が開孔されている。
これにより、支持枠２９ａは、図４に示すように、煙除去フィルタ１８−１をスライド可能に支持した状態で、なおかつ、アクチュエータ２９ｂが循環風路３の対向する風路壁の外側に配設されて、支持枠２９ａの長孔３２から外向きに突出する煙除去フィルタ１８−１の両側の連結部３１にシリンダ３３の先端が連結ピン３４よって連結される。すなわち、煙除去フィルタ１８−１が、アクチュエータ２９ｂによって循環風路３内に対する出し入れが行われる構成としている。
【００４３】
［作用説明］
つぎに、以上のように構成されている煙除去フィルタ１８−１のフィルタ出し入れ機構２９が適用されたレンジフードについて簡単に説明する。ここでは、図４を適宜参照しながら説明する。
焼き物の煙が発生しない料理中に、加熱調理器などから舞い上がってくる汚染空気Ｇがフード部１の吸込み隙間９から捕獲空間Ｍに吸引捕獲されるときには、フィルタ出し入れ機構２９を構成するアクチュエータ２９ｂによって煙除去フィルタ１８−１は、図４に二点鎖線で示すように、循環風路３の外に引き出されている。
これにより、捕獲空間Ｍからグリスフィルタ１１を通過して油脂分が分離除去された汚染空気Ｇは、煙除去フィルタ１８−１を通過することなく、下流側の脱臭フィルタ１９、さらに下流側の除湿フィルタ２０を通過して臭気や水分などが分離除去されたクリーンな空気として吹出し口４から室内（キッチン）に戻される。
【００４４】
そして、グリルなどによる焼き物の料理中に発生する煙を含んで舞い上がってくる汚染空気Ｇが吸込み隙間９から捕獲空間Ｍに吸引捕獲されるときには、前記の実施例詳述のように、煙センサＳ１が煙の存在を煙粒子や煙濃度などから検知し、その検知信号が煙センサＳ１から出力されると、図４に示すように、フィルタ出し入れ機構２９を構成するアクチュエータ２９ｂのシリンダ３３が駆動して煙除去フィルタ１８−１を循環風路３内に挿入内在させる。
これにより、捕獲空間Ｍからグリスフィルタ１１を通過して油脂分が分離除去された汚染空気Ｇは、煙除去フィルタ１８−１を通過して煙が分離除去されたのちに、下流側の脱臭フィルタ１９、さらに下流側の除湿フィルタ２０を通過して臭気や水分などが分離除去されたクリーンな空気として吹出し口４から室内（キッチン）に戻される。
そして、焼き物の料理が終わり、煙センサＳ１からの検出信号の出力が途切れると、シリンダ３３が駆動して煙除去フィルタ１８−１を循環風路３の外に引き出す。
【００４５】
なお、本発明の実施形態の具体的な構成は、前記の各実施形態に限られるものではなく、請求項１から請求項５に記載の本発明の要旨を逸脱しない範囲で設計変更などがあっても本発明に含まれるものである。
例えば、循環風路３の上流側から下流側に対する煙除去フィルタ１８,１８−１、脱臭フィルタ１９、除湿フィルタ２０これらの配置として、脱臭フィルタ１９と除湿フィルタ２０の下流側に煙除去フィルタ１８を配置、或いは、脱臭フィルタ１９と除湿フィルタ２０との間に煙除去フィルタ１８,１８−１を配置することができる。
また、循環風路３に、これらの煙除去フィルタ１８,１８−１、脱臭フィルタ１９、除湿フィルタ２０の他に、汚染空気中に含まれている塵、埃などを分離除去するための除塵フィルタを備えるなど、汚染空気の清浄化のために必要とする適宜の浄化フィルタを任意に備えることできる。
【００４６】
また、煙除去フィルタ１８の上流側を開閉するシャッター２１ａのスライド駆動、そして、煙除去フィルタ１８−１を循環風路３内に対して出し入れする出し入れ駆動として、モータを利用した歯車機構の組み合わせや、ラックとピニオンによるもの、或いは、ワイヤーとプーリーによるものなどを挙げることができる。
そして、シャッターはスライド開閉方式に限らず、回転開閉方式とすることができる。つまり、回転ダンパー方式などを用いて煙除去フィルタ１８の上流側を開閉することができる。
【００４７】
また、排気装置２ｂを、吹出し口４側に位置する循環風路３の下流側などに配設することができる。この場合、循環風路３の上流側を、フード部１の連絡口６に直結させた接続形態とすることができる。
また、レンジフードとして、加熱調理器の周りのキッチンカウンタに吸込み口を備えるとともに、カウンタの下などに排気装置２ｂを備えて、キッチン壁やキッチン天井に開口される吹出し口に至る循環風路として、この循環風路に煙除去フィルタ、脱臭フィルタ、除湿フィルタをそれぞれ備えた構成の室内循環式レンジフードとすることができる。
【００４８】
また、煙除去フィルタの循環風路への取り付けとして、前記の実施形態のように、汚染空気の流れ方向に対して直交させた形態以外に、斜めに交差させた形態とすることができる。この場合、フィルタ開閉機構は、煙除去フィルタの斜め形態に合わせてその上流側に配置される。
【符号の説明】
【００４９】
Ａ      レンジフード
１      フード部
２      送風機ユニット
３      循環風路
４      吹出し口
１１    グリスフィルタ
１８,１８−１  煙除去フィルタ
１９    脱臭フィルタ
２０    除湿フィルタ
２１    フィルタ開閉機構
２１ａ  シャッター
２１ｂ  支持枠
２１ｃ  アクチュエータ
２９    フィルタ出し入れ機構
２９ａ  支持枠
２９ｂ  アクチュエータ
Ｍ      捕獲空間（吸込み口）
Ｇ      汚染空気
【図１】
2011112251.tif 000003
【図２】
2011112251.tif 000004
【図３】
2011112251.tif 000005
【図４】
2011112251.tif 000006
【図５】
2011112251.tif 000007